(57)【要約】【課題】ネジにより放熱板に固定される固定部品の取付け及び取外しを容易に行うことができる電子機器を提供する。【解決手段】回路基板１と、この回路基板１に実装した複数の電子部品と、回路基板１に設けた放熱板２１と、この放熱板２１にネジにより固定される電子部品２及び固定具３１とを備えた電子機器において、放熱板１１の一側面１２Ａに電子部品２及び固定具３１を固定し、放熱板１１の他側に複数の実装部品を配置する。ネジ２１により放熱板１１に固定される電子部品２及び固定具３１の取付け及び取外しが、他の実装部品の干渉を受けることなく容易に行うことができる。また、ネジ２１の取付方向が略同一にすれば、ドライバーなどによりネジ２１を同一方向から操作することができる。【選択図】図１
2010087031.tif 000002
【特許請求の範囲】
【請求項１】
回路基板と、この回路基板に実装した複数の電子部品と、前記回路基板に設けた放熱板と、この放熱板にネジにより固定される固定部品とを備えた電子機器において、前記放熱板の一側面に複数の前記固定部品を固定し、且つ前記固定部品は外側から取付可能であり、前記放熱板の他側に前記複数の実装部品を配置したことを特徴とする電子機器。
【請求項２】
前記複数の固定部品を固定する複数の前記ネジの取付方向が略同一であることを特徴とする請求項１記載の電子機器。
【請求項３】
前記固定部品が、発熱部品及び発熱部品を位置決めする位置決め部材であることを特徴とする請求項１又は２記載の電子機器。
【発明の詳細な説明】
【技術分野】
【０００１】
本発明は、回路基板と、この回路基板に実装した複数の実装部品と、前記回路基板に設けた放熱板と、この放熱板にネジにより固定される固定部品とを備えた電子機器に関する。
【背景技術】
【０００２】
一般に、ユニット電源などの各種電子機器においては、回路基板に各種の電子部品と共に、パワートランジスタや整流ダイオードなどの発熱する発熱部品が実装され、こうした発熱部品の温度上昇を抑制するために、熱伝導性に優れた例えばアルミニウムなどの放熱板を電子部品の背面に熱接続して用いており、放熱板の両面にネジにより複数の電子部品を固定している（例えば特許文献１）。
【特許文献１】特開２００２−２９００８４号公報
【発明の開示】
【発明が解決しようとする課題】
【０００３】
上記放熱板には、略平板状のものや略Ｌ字状に屈曲したものなど各種形状のものが用いられるが、放熱板の両面に発熱部品を固定されているため、ドライバーなどによりネジを外す際、回路基板に実装した他の電子部品が邪魔になり、部品変更，修理や廃棄のための分解などにおける工数が多く掛かるという問題がある。
【０００４】
また、取付け及び取外し作業時に、放熱板の両面からネジを操作する必要があり、一方からネジを操作する場合に比べて作業効率が低下し、また、屈曲した放熱板において、屈曲箇所の両側に複数の発熱部品を固定した構造では、ネジを回すドライバーの操作方向が屈曲箇所の両側で異なるため、取付け及び取外し作業を効率的に行うことができない。
【０００５】
本発明は上記の各問題点に着目してなされたもので、ネジにより放熱板に固定される固定部品の取付け及び取外しを容易に行うことができる電子機器を提供することを、その目的とする。
【課題を解決するための手段】
【０００６】
本発明は、上記目的を達成するために、回路基板と、この回路基板に実装した複数の電子部品と、前記回路基板に設けた放熱板と、この放熱板にネジにより固定される固定部品とを備えた電子機器において、前記放熱板の一側面に複数の前記固定部品を固定し、且つ前記固定部品は外側から取付可能であり、前記放熱板の他側に前記複数の実装部品を配置した構成としている。
【０００７】
また、本発明は、上記目的を達成するために、前記複数の固定部品を固定する複数の前記ネジの取付方向が略同一である。
【０００８】
さらに、本発明は、前記固定部品が、発熱部品及び発熱部品を位置決めする位置決め部材である。
【発明の効果】
【０００９】
請求項１の発明によれば、ネジにより放熱板に固定される固定部品の取付け及び取外しが、実装部品の干渉を受けることなく容易に行うことができる。
【００１０】
請求項２の発明によれば、ドライバーなどによりネジを同一方向から操作することができるので、複数の固定部品のネジによる固定と解除を容易に行うことができる。
【００１１】
請求項３の発明によれば、回路基板に実装する発熱部品以外の位置決め部材をも簡便に取付け及び取外しすることができる。
【発明を実施するための最良の形態】
【００１２】
以下、本発明における電子機器の好ましい実施形態について、添付図面を参照しながら詳細に説明する。
【実施例１】
【００１３】
図１〜図３は、本実施例で提案する電子機器を示したものである。同図に示すように、１は絶縁層の片面または両面に導電パターンを形成してなる回路基板であって、平面略方形をなす。２，２Ａは前記回路基板１の表面すなわち部品実装面上に設けられる特に発熱量の大きい発熱部品たる電子部品であって、前記電子部品２が後述する放熱板に固定される固定部品である。それら電子部品２，２Ａは、その部品本体３の下端に延設する導電性のリード４を、回路基板１の所定位置に形成したメッキスルーホール（図示せず）に挿通し、そこで半田付け接続して回路基板１に実装される。
【００１４】
１１はアルミニウムなどの導電性に優れた部材で構成される放熱板で、これは回路基板１に略直交する垂直部１２と、この垂直部１２の上端を外側（一側）に屈曲した屈曲縁部１３と、垂直部１２より下方に延設した複数の脚部１４により概ね構成され、これら複数の脚部１４が回路基板１の部品実装面側に固定されている。
【００１５】
また、放熱板１１は、回路基板１の部品実装面側から見て矩形状をなす回路基板１の長手方向両側に沿って、かつ回路基板１の幅方向一側寄りに設けられている。一方、放熱板１１の他側に位置する部品実装面には、複数の電子部品５が実装されている。
【００１６】
複数の前記電子部品２が、ネジ２１により、前記放熱板１１の垂直部１２の外側の一側面１２Ａに密着状態で固定される。この場合、電子部品２の部品本体３には、ネジ２１を挿通する挿通孔２２を穿設し、この挿通孔２２に対応して、前記垂直部１２にタップ孔２３を形成し、放熱板１１の一側から、ネジ２１を挿通孔２２に挿通し、タップ孔２３に螺合することにより、電子部品２を放熱板１１に固定する。尚、前記挿通孔２２を、ネジ２１が螺合するタップ孔としてもよい。
【００１７】
また、前記電子部品２Ａは、固定部品たる固定具３１により、放熱板１１の垂直部１２の一側面１２に固定される。前記固定具３１は、バネ用ステンレス鋼等の鋼鈑からなり、電子部品２Ａの部品本体３を押える押さえ部３２と、放熱板１１に固定する固定部３３とを一体に備え、この固定部３３にはネジ２１を挿通する挿通孔３４を備える。そして、電子部品２Ａの部品本体３に、絶縁材たる筒状の絶縁シート４１を外装し、この絶縁シート４１を外装した部品本体３を、押さえ部３３により段発的に押さえた状態で、挿通孔３４にネジ２１を挿通し、このネジ２１を放熱板１１のタップ孔２３に螺合することにより、電子部品２Ａの部品本体２Ａを放熱板１１に固定している。尚、前記挿通孔２４を、ネジ２１が螺合するタップ孔としてもよい。
【００１８】
そして、電子部品２，２Ａの温度上昇に伴ない電子部品２，２Ａが発熱すると、放熱板11の垂直部１２に熱が直接伝導し、垂直部１２及び屈曲縁部１３からその周辺にある空気と熱交換して放熱される。
【００１９】
上記のような電子機器においては、回路基板１の一側に放熱板１１を配置し、放熱板１１の一側に複数の電子部品２及び固定具３１を設け、放熱板１１の他側で回路基板１に電子部品５を実装している。したがって、電子部品５に干渉されることなく、電子部品２のネジ２１及び固定具３１のネジ２１を操作することができる。
【００２０】
しかも、複数の電子部品２及び固定具３１のネジ２１は同一方向に螺合されているから、ドライバー１０１などにより複数のネジ２１の操作を同一方向から行うことができる。
【００２１】
このように本実施例では、回路基板１と、この回路基板１に実装した複数の電子部品５と、回路基板１に設けた放熱板２１と、この放熱板２１にネジにより固定される固定部品たる電子部品２及び固定具３１とを備えた電子機器において、放熱板１１の一側面１２Ａに複数の固定部品たる電子部品２及び固定具３１を固定し、且つ電子部品２及び固定具３１は外側から放熱板１１に取付可能であり、放熱板１１の他側に複数の実装部品５を配置したから、ネジ２１により放熱板１１に固定される電子部品２及び固定具３１の取付け及び取外しが、他の実装部品の干渉を受けることなく容易に行うことができる。
【００２２】
また、このように本実施例では、電子部品２及び固定具３１を固定する複数のネジ２１の取付方向が略同一であるから、ドライバー１０１などによりネジ２１を同一方向から操作することができるので、複数の電子部品２及び固定具３１のネジ２１による固定と解除を容易に行うことができる。
【００２３】
また、このように本実施例では、固定部品が、発熱部品たる電子部品２及び発熱部品たる発熱部品２Ａを位置決めする位置決め部材たる固定具３１であるから、回路基板１に実装する発熱部品２以外の固定具３１をも簡便に取付け及び取外しすることができる。
【００２４】
また、実施例上の効果として、複数の電子部品２と固定具３１のネジ２１は、工具係合部たるマイナス溝の形状が同一であるから、同じドライバー１０１を用いて操作することができる。
【００２５】
なお、本発明は上記実施例に限定されるものではなく、本発明の要旨の範囲において種々の変形実施が可能である。例えば、実施例では、一側面が連続して平坦なものを例示したが、一側面が平行な複数の面から構成されていたり、複数の放熱板の一側面が平行に配置されていたりしてもよい。
【図面の簡単な説明】
【００２６】
【図１】本発明の実施例１を示す正面図である。
【図２】同上、側面図である。
【図３】同上、平面図である。
【符号の説明】
【００２７】
１  回路基板
２  電子部品（固定部品・発熱部品）
２Ａ  電子部品（発熱部品）
３  部品本体
５  電子部品
１１  放熱板（被固定部）
２１  ネジ
３１  固定具（固定部品）
【図１】
2010087031.tif 000003
【図２】
2010087031.tif 000004
【図３】
2010087031.tif 000005